(57)【要約】【課題】電気錠装置の施解錠機構をドリル等の切削工具により破壊する不正解錠を防御可能とする。【解決手段】この電気錠装置１は、施解錠を操作する情報を入力するテンキーユニット５と、テンキーユニット５より入力された情報に基づき施解錠動作を行う電気錠２とを接続するケーブル６を通すために扉に設けられた配線孔に挿入し塞ぐ、側面にケーブル６を嵌め込む螺旋状溝１０を設け、先端部が傾斜部を有するプラグ体３を備えている。【選択図】図１
2006022579.tif 000002
【特許請求の範囲】
【請求項１】
扉の表面に取り付けられ施解錠動作を行うための情報を入力する施解錠情報入力部と、扉の内部又は裏面に取り付けられ前記施解錠情報入力部より入力された情報に基づき施解錠動作を行う電気錠とを有した電気錠装置において、
前記施解錠入力部と前記電気錠とを接続する配線を通すために扉に設けられた配線孔に挿入され塞ぐ硬質材料からなるプラグ体を前記電気錠に備えたことを特徴とする電気錠装置。
【請求項２】
前記プラグ体の側面に前記配線を嵌め込む曲線状又は屈曲状溝を設けたことを特徴とする請求項１に記載の電気錠装置。
【請求項３】
前記プラグ体の先端部は、傾斜部を有することを特徴とする請求項２に記載の電気錠装置。
【発明の詳細な説明】
【技術分野】
【０００１】
本発明は、ドリル等の切削工具やガス溶断により電気錠の施解錠機構を破壊する不正解錠を防止する電気錠装置に関するものである。
【背景技術】
【０００２】
従来より金庫や建物等の扉に施解錠装置として取付けられる電気錠装置は、テンキーユニット等にて施解錠動作を行うための情報を入力する施解錠情報入力部と、この施解錠情報入力部から入力された情報を照合して施解錠信号を送出する制御部と、この制御部からの施解錠信号を受けて閂係止杆を駆動して施解錠を行う施解錠機構部とから概略構成されている。（例えば、特許文献１参照。）
【特許文献１】特開平８−１４４５９０号公報
【発明の開示】
【発明が解決しようとする課題】
【０００３】
従来の電気錠装置は符号錠を取り付けるために扉に設けられている符号錠パイプ穴を利用して取り付けることは想定しておらず、符号錠の取り付け位置を利用して電気錠装置を取り付けた場合、符号錠パイプ穴からドリル等の切削工具により直接電気錠の施解錠機構を破壊される恐れがあった。
【課題を解決するための手段】
【０００４】
前記課題を解決するため、本発明に係る電気錠装置では、扉の表面に取り付けられ施解錠動作を行うための情報を入力する施解錠情報入力部と、扉の内部又は裏面に取り付けられ前記施解錠情報入力部より入力された情報に基づき施解錠動作を行う電気錠とを有し、前記施解錠入力部と前記電気錠とを接続する配線を通すために扉に設けられた配線孔に挿入され塞ぐ硬質材料からなるプラグ体を前記電気錠に備える構成とした。そして、前記プラグ体の側面に前記配線を嵌め込む曲線状又は屈曲状溝を設けるようにしてもよい。さらに、前記プラグ体の先端部が、傾斜部を有するようにしてもよい。
【発明の効果】
【０００５】
本発明は、符号錠が取り付け可能となっている金庫や鉄扉に電気錠装置を取り付ける場合、扉に設けられた符号錠パイプ穴を配線孔として利用し、電気錠に備えられたプラグ体を配線孔に挿入し、配線孔を塞ぎ、配線孔からのドリル等の切削工具やガス溶断による施解錠機構の破壊攻撃を的確に防御できる利点がある。
【０００６】
また、プラグ体の側面に設けた配線を嵌め込む溝が直線的な溝の場合、溝からドリル等の切削工具の刃が直接電気錠に達し、施解錠機構を破壊する恐れがあるが、本発明の電気錠装置は、プラグ体の側面に曲線状又は屈曲状の溝を設けてあるため、切削工具の刃が溝から電気錠に達することは困難となる利点がある。
【０００７】
また、本発明の電気錠装置は、プラグ体が扉の配線孔を塞ぎ、プラグ体の先端部が傾斜部を有しているため、ドリル等の切削工具やガス溶断による破壊攻撃は困難となる利点がある。
【０００８】
また、本発明の電気錠装置を使用することにより、扉に設けられた配線孔からのドリル等の切削工具やガス溶断による施解錠機構の破壊攻撃に対する要求される防盗性能をプラグ体の全長の長さを変えるだけで対応可能となる利点がある。
【発明を実施するための最良の形態】
【０００９】
符号錠が取り付け可能となっている金庫や鉄扉に電気錠装置に取り付けた場合に、ドリル等の切削工具による電気錠の施解錠機構の破壊を防御するという目的を、扉自体に何ら手を加えず或いは扉に複雑な加工を施すことなく実現した。
【実施例】
【００１０】
以下、図面を参照して本発明の実施例を説明する。図１は、本発明に係る電気錠装置の一実施例の斜視図である。本実施例の電気錠装置１は、電気錠２に備えられたプラグ体３が符号錠パイプを挿入するために扉に設けられた符号錠パイプ穴に挿入され取り付けられる点を除いては、従来の一般的な電気錠装置と同様に構成されている。すなわち、電気錠装置１は、暗証番号を入力するためのスイッチ４をボックスの表面に実装し、スイッチ４を操作することにより入力された信号により施解錠を制御する制御回路をボックスに収納したことよりなるテンキーユニット５と、一般にあるラッチに、モーターと減速装置や、ソレノイドなどの駆動部を装着し、電気で作動する電動式ラッチなどから成る電気錠２とからなり、テンキーユニット５の制御回路より出力される電気錠２を施解錠をするための電気信号や電源を電気錠２に伝えるためにケーブル６によりテンキーユニット５の制御回路と電気錠２の駆動部が接続される。電気錠２と符号錠の錠箱は容易に取替え可能なように外形、大きさ及びラッチの移動位置等は同一であることが望ましい。なお、電気錠装置１の電子、機構系の構成は、従来の電気錠装置と共通する公知の構成であり、且つ本発明の主体は電気錠２に備えたプラグ体３であるため、電気錠装置１の電子、機構系の詳細な説明は省略する。
【００１１】
次いで、本発明の主体とするところのプラグ体３について説明する。図２は、本発明に係るプラグ体の断面図である。プラグ体３は一般的な切削工具では切削が困難な硬質のステンレス鋼や焼き入れ加工された鋼材等の硬質材料からなる。プラグ体３は、円錐形状の先端部と略円柱形状の基部とで形成されたヘッド部７と、ヘッド部の外径より小さい外径である円柱形状の支持部８と、電気錠２に当接し、両面テープ等の保護シートにより、電気錠２と固着される取付部９からなる。ヘッド部７の先端部の円錐形状の角度はドリルが滑り研削破壊が困難となるように一般的なドリルの刃先角度とほぼ同じ角度である。なお、プラグ体３と電気錠２を溶接やビス止め等により固着することやプラグ体３と電気錠２とを一体とすることも可能である。また、プラグ体３を保護シート等により固着する場合には、プラグ体３の取付部９の形状はプラグ体３が扉の表面から引き抜くことができない形状とする。プラグ体３は扉の符号錠パイプ穴に挿入され、符号錠パイプ穴を塞ぐためにプラグ体３のヘッド部の外径を符号錠パイプ穴の内径とほぼ同一寸法とする。
【００１２】
プラグ体３のヘッド部７の側面にはテンキーユニット５と電気錠２とを接続するケーブル６を嵌め込む螺旋状溝１０が設けてあり、電気錠２から出ているケーブル６は螺旋状溝１０に嵌め込まれ、プラグ体３の支持部８とヘッド部７の２箇所でテープ等により固定される。プラグ体３は扉の裏面側から符合錠パイプ穴に挿入され、符号錠パイプ穴を塞ぎ、電気錠２を扉の内部に固定ねじで固定し、プラグ体３に固定されたケーブル６の端部は扉の表面に取り付けられるテンキーユニット５に接続される。これにより扉に設けられている符号錠パイプ穴が、配線孔として利用可能となる。
【００１３】
最後に、本発明に係る電気錠装置は、以上に説明した実施形態に限定されるものではなく、本発明の趣旨を逸脱しない範囲において、各構成要素に要求される役割を果たすような種々の変更を加えることが可能である。例えば、プラグ体が電気錠に固定されず、扉側にねじ止めや溶接などにより固定されプラグ体と電気錠が接する場合も考えられる。また、プラグ体の全体形状も前記したヘッド部と支持部により構成される形状に限らず任意であり、プラグ体の先端部が円錐形状でなくとも円柱形状であったり、傾斜部を有しドリルが滑り研削破壊が困難となる種々の形状を採用することも考えられる。また、プラグ体の側面に設けたケーブルを嵌め込む溝も螺旋状でなくともドリル等の切削工具の刃が立ちにくい曲線状又は屈曲状溝を採用することも考えられる。また、プラグ体の材質は施解錠機構の破壊攻撃に対し要求される防盗性能によって、種々の材質の硬質材料を採用することは可能である。また、電気錠とテンキーユニット等の施解錠情報入力部とを接続するケーブルが複数の場合も考えられ、ケーブルを嵌め込むプラグ体に設ける溝が複数設けられることも考えられる。また、本発明を適用する電気錠装置は電磁アクチュエータとしてモータでもモータ以外のソレノイド等であっても良い。また、電気錠が扉の内部に埋設される埋込型の電気錠装置であっても、電気錠が扉の裏面に取り付けられる面付型の電気錠装置であっても本発明を適用することは可能である。また、前記実施形態では施解錠情報入力部としてテンキーユニットを示しているが、磁気カード、非接触カード、ＩＣカード、携帯電話などにより識別情報を入力するものや指紋、虹彩、網膜、掌形などの生体情報により識別情報を入力するものも考えられる。また、本発明の電気錠装置は、既設の金庫や鉄扉の符号錠と取り替える場合でも、符号錠が取り付け可能な金庫に当初から符号錠を取り付けず、電気錠装置を取り付ける場合でも本発明を適用することは可能である。
【図面の簡単な説明】
【００１４】
【図１】本発明に係る電気錠装置の一実施例の斜視図である。
【図２】本発明に係るプラグ体の側面図である。
【符号の説明】
【００１５】
１    電気錠装置
２    電気錠
３    プラグ体
４    スイッチ
５    テンキーユニット
６    ケーブル
７    ヘッド部
８    支持部
９    取付部
１０  溝
【図１】
2006022579.tif 000003
【図２】
2006022579.tif 000004